(57)【要約】【課題】アプリケーションの保安性管理方法及びその電子装置を提供する。【解決手段】本発明は電子装置における保安性管理に関するものであり、電子装置の動作方法は、画面の一部を占有する第１領域に第１レベルの保安レベルを有するアプリケーションのアイコンを表示する過程と、第１領域と排他的な部分を占有する第２領域に第２レベルの保安レベルを有するアプリケーションのアイコンを表示する過程と、を含む。【選択図】図１
2014123352.tif 000002
【特許請求の範囲】
【請求項１】
電子装置の動作方法において、
画面の一部を占有する第１領域に第１レベルの保安レベルを有するアプリケーションのアイコンを表示する過程と、
第１領域と排他的な部分を占有する第２領域に第２レベルの保安レベルを有するアプリケーションのアイコンを表示する過程と、を含み、
前記第１レベルは実行にロック解除を必要とし、
前記第２レベルは実行にロック解除を必要としない方法。
【請求項２】
前記第１領域に表示された第１アイコンに対応する第１アプリケーションの実行命令が発生するとロック解除を要求する画面を表示する過程と、
ロックが解除されると前記第１アプリケーションを実行する過程と、を更に含む請求項１に記載の方法。
【請求項３】
前記第１アプリケーションの終了命令が発生するとメインメニュを表示する過程を更に含む請求項２に記載の方法。
【請求項４】
前記第２領域に表示された第２アイコンに対応する第２アプリケーションの実行命令が発生すると、ロック解除を要求せずに前記第２アプリケーションを実行する過程を更に含む請求項１に記載の方法。
【請求項５】
前記第２アプリケーションの終了命令が発生すると前記第１領域及び前記第２領域に分割されたロック画面を表示する過程を更に含む請求項４に記載の方法。
【請求項６】
前記第１領域及び前記第２領域に分割されたロック画面は、画面が消された状態でつけられる場合に表示される請求項１に記載の方法。
【請求項７】
前記第１領域に表示されたアイコンを前記第２領域に移動させる命令が発生するとロック解除を要求する画面を表示する過程と、
ロックが解除されると前記アイコンを前記第２領域に移動させる過程と、を更に含む請求項１に記載の方法。
【請求項８】
前記アイコンに対応するアプリケーションの保安レベルを前記第２レベルとして管理する過程を更に含む請求項７に記載の方法。
【請求項９】
前記アイコンに対応するアプリケーションが１回実行されてから終了されること、前記アイコンが移動されてから予め決められた時間が経過すること、前記電子装置の状態又は実行中のアプリケーションの分析結果に応じて前記アイコンに対応するアプリケーションの保安レベルを前記第１レベルとして管理することを判断することのうち少なくとも一つの条件を満足すると、前記第２領域に移動されたアイコンを前記第１領域に移動させる過程を更に含む請求項７に記載の方法。
【請求項１０】
前記第２領域に表示されたアイコンを前記第１領域に移動させる命令が発生すると、ロック解除を要求せずに前記アイコンを前記第１領域に移動させる過程を更に含む請求項１に記載の方法。
【請求項１１】
メインメニュへの進入命令が発生するとロック解除を要求する画面を表示する過程と、
ロックが解除されると前記メインメニュを表示する過程と、を更に含む請求項１に記載の方法。
【請求項１２】
前記メインメニュへの進入命令は、前記第１領域のうちアイコンが表示されていない部分でのタッチ入力、前記メインメニュへの進入のために定義されたアイコンのタッチ入力のうち一つである請求項１１に記載の方法。
【請求項１３】
前記第１領域及び前記第２領域の分割形態は、予め定義された設定及びユーザのタッチスクリーン使用分析のうち少なくとも一つに基づいて決定される請求項１に記載の方法。
【請求項１４】
請求項１から請求項１３のいずれか一項に記載の方法を実施するように構成された電子装置。
【請求項１５】
電子装置において、
少なくとも一つのプロセッサと、
前記少なくとも一つのプロセッサの制御に応じて画面を表示する表示部と、
前記少なくとも一つのプロセッサによって実行されるように構成される少なくとも一つのソフトウェアモジュールを貯蔵するメモリと、を含み、
前記ソフトウェアモジュールは、画面の一部を占有する第１領域に第１レベルの保安レベルを有するアプリケーションのアイコンを表示し、第１領域と排他的な部分を占有する第２領域に第２レベルの保安レベルを有するアプリケーションのアイコンを表示するように制御する少なくとも一つの命令語を含み、
前記第１レベルは実行にロック解除を必要とし、
前記第２レベルは実行にロック解除を必要としない装置。
【発明の詳細な説明】
【技術分野】
【０００１】
本発明は、電子装置でのアプリケーション（ａｐｐｌｉｃａｔｉｏｎ）の保安性（ｓｅｃｕｒｉｔｙ）管理に関するものである。
【背景技術】
【０００２】
スマートフォン（ｓｍａｒｔ  ｐｈｏｎｅ）のようなタッチスクリーンパネル（ｔｏｕｃｈ−ｓｃｒｅｅｎ  ｐａｎｅｌ）が適用された電子装置は、意図されていないタッチ（ｔｏｕｃｈ）入力の防止、不必要な画面表示によるバッテリ（ｂａｔｔｅｒｙ）消耗の防止、保安などのために一定時間が過ぎると画面が消される（ｏｆｆ）。更に前記電子装置使用しようとする場合、ユーザは予め決められた方式でロック画面（ｌｏｃｋ  ｓｃｒｅｅｎ）を解除しなければならない。
【０００３】
前記ロック画面の解除は、保安レベルに応じてドラッグ（ｄｒａｇ）、モーション（ｍｏｔｉｏｎ）、顔認識、音声認識、パターン（ｐａｔｔｅｒｎ）、ＰＩＮ（Ｐｅｒｓｏｎａｌ  Ｉｄｅｎｔｉｆｉｃａｔｉｏｎ  Ｎｕｍｂｅｒ），パスワードなど多様な方式による。前記ロック画面を介した保安において、保安の対象は電子装置全体である。言い換えると、ロック画面を解除しなければ前記電子装置のいかなる機能も実行することができないのが一般的である。即ち、前記ロック画面はアプリケーションの使用頻度、保安性とは関係なく電子装置全体に対する使用を禁止させる。
【０００４】
保安が設定されているロック画面を解除した後、ユーザが電子装置を続けて使用する場合でも一定時間が過ぎると画面が消される（ｏｆｆ）。更に電子装置を使用とすると、前記電子装置はロック画面の解除を繰り返さなければならない。このような繰り返されるロック画面の解除による煩わしさを減らすためにロック画面の保安機能を除去すると電子装置全体に対する保安が脆弱になる。即ち、保安性及び便宜性が矛盾する問題点が存在する。
【０００５】
一つの代案として、ユーザは場合に応じて保安レベル（ｌｅｖｅｌ）を調節することができる。即ち、ユーザは電子装置を頻繁に使用する間には保安機能を除去し、電子装置を一定時間使用しない間には保安機能を活性化させることができる。しかし、一般に保安レベルを変更することはメニューへの進入、項目の選択、設定変更など約８乃至１０回の複雑な操作を要求する。よって、ユーザがアプリケーションの使用パターンに応じて柔軟に保安レベルを変更することはより大きな不便さをもたらす。
【先行技術文献】
【特許文献】
【０００６】
【特許文献１】韓国特許登録第１０−１０８７６９８号
【発明の概要】
【課題を解決するための手段】
【０００７】
よって、本発明の一実施例は電子装置で保安レベルを容易に変更するための装置及びその方法を提供する。
【０００８】
本発明の他の実施例は電子装置でアプリケーション別に保安レベルを互いに相異に設定するための装置及びその方法を提供する。
【０００９】
本発明のまた他の実施例は電子装置で保安領域及び非保安（ｎｏｎ−ｓｅｃｕｒｉｔｙ）領域を提供するための装置及びその方法を提供する。
【００１０】
前記目的を達成するための本発明の第１見地によると、電子装置の動作方法は、画面の一部を占有する第１領域に第１レベルの保安レベルを有するアプリケーションのアイコンを表示する過程と、第１領域と排他的な部分を占有する第２領域に第２レベルの保安レベルを有するアプリケーションのアイコンを表示する過程を含む。ここで、前記第１レベルは実行にロック解除を必要とし、前記第２レベルは実行にロック解除を必要としない。
【００１１】
前記目的を達成するための本発明の第２見地によると、電子装置は、画面の一部を占有する第１領域に第１レベルの保安レベルを有するアプリケーションのアイコンを表示し、第１領域と排他的な部分を占有する第２領域に第２レベルの保安レベルを有するアプリケーションのアイコンを表示するように制御するプロセッサと、前記少なくとも一つのプロセッサの制御に応じて前記第１領域及び前記第２領域に分割された画面を表示する表示部を含む。ここで、前記第１レベルは実行にロック解除を必要とし、前記第２レベルは実行にロック解除を必要としない。
【００１２】
前記目的を達成するための本発明の第３見地によると、電子装置は、少なくとも一つのプロセッサと、前記少なくとも一つのプロセッサの制御に応じて画面を表示する表示部と、前記少なくとも一つのプロセッサによって実行されるように構成される少なくとも一つのソフトウェアモジュールを貯蔵するメモリを含む。ここで、前記ソフトウェアモジュールは、画面の一部を占有する第１領域に第１レベルの保安レベルを有するアプリケーションのアイコンを表示し、第１領域と排他的な部分を占有する第２領域に第２レベルの保安レベルを有するアプリケーションのアイコンを表示するように制御する少なくとも一つの命令語を含む。ここで、前記第１レベルは実行にロック解除を必要とし、前記第２レベルは実行にロック解除を必要としない。
【図面の簡単な説明】
【００１３】
【図１】本発明の実施例による電子装置で保安領域及び非保安領域の区分例を示す図である。
【図２】本発明の実施例による電子装置で保安領域及び非保安領域に分割されたロック画面の例を示す図である。
【図３】本発明の実施例による電子装置で非保安領域に位置するアプリケーションの実行過程を示す図である。
【図４】本発明の実施例による電子装置で保安領域に位置するアプリケーションの実行過程を示す図である。
【図５】本発明の実施例による電子装置で保安領域に位置するアプリケーションを非保安領域に移動させる過程を示す図である。
【図６】本発明の実施例による電子装置で非保安領域に位置するアプリケーションを保安領域に移動させる過程を示す図である。
【図７】本発明の実施例による電子装置でメインメニュ（ｍａｉｎ  ｍｅｎｕ）に進入する過程を示す図である。
【図８】本発明の他の実施例による電子装置でメインメニュに進入する過程を示す図である。
【図９】本発明の実施例による電子装置で保安モードの設定手順を示す図である。
【図１０】本発明の実施例による電子装置におけるスマートアクセスロックモード（Ｓｍａｒｔ  Ａｃｃｅｓｓ  Ｌｏｃｋ  Ｍｏｄｅ）でロック画面を表示する手順を示す図である。
【図１１】本発明の実施例による電子装置におけるスマートアクセスロックモードで非保安アプリケーションの実行手順を示す図である。
【図１２】本発明の実施例による電子装置におけるスマートアクセスロックモードで保安アプリケーションの実行手順を示す図である。
【図１３】本発明の実施例による電子装置におけるスマートアクセスロックモードで保安領域内のアイコンを非保安領域に移動する手順を示す図である。
【図１４】本発明の実施例による電子装置におけるスマートアクセスロックモードで非保安領域内のアイコンを保安領域に移動する手順を示す図である。
【図１５】本発明の実施例による電子装置のブロック構成を示す図である。
【図１６】本発明の他の実施例による電子装置のブロック構成を示す図である。
【発明を実施するための形態】
【００１４】
以下、本発明は電子装置でアプリケーションの保安性を管理するための技術について説明する。最近、スマートフォンのような電子装置に多数の機能が統合（ｃｏｎｖｅｒｇｅｎｃｅ）されて設置されるアプリケーションの個数は多いが、ユーザによって主に使用するアプリケーションは決まっている。使用頻度が高いアプリケーションの中には保安性が低いアプリケーションも存在するが、保安性が非常に高いアプリケーションも存在する。しかし、電子装置全体に適用される保安機能をアプリケーション別に柔軟に変更することは困難である。よって、本発明は機器全体に保安機能を適用しながら、使用頻度が高いアプリケーションに対して使用パターンに応じて簡単な操作で保安レベルを柔軟に調節することができる技術を提案する。
【００１５】
本発明において、前記電子装置は携帯用電子装置（ｐｏｒｔａｂｌｅ  ｅｌｅｃｔｒｏｎｉｃ  ｄｅｖｉｃｅ）であってもよく、スマートフォン、携帯用端末機（ｍｏｂｉｌｅ  ｔｅｒｍｉｎａｌ）、移動電話（ｍｏｂｉｌｅ  ｐｈｏｎｅ）、移動パッド（ｍｏｂｉｌｅ  ｐａｄ）、メディアプレーヤー（ｍｅｄｉａ  ｐｌａｙｅｒ）、タブレットコンピュータ（ｔａｂｌｅｔ  ｃｏｍｐｕｔｅｒ）、ハンドヘルドコンピュータ（ｈａｎｄｈｅｌｄ  ｃｏｍｐｕｔｅｒ）又はＰＤＡ（Ｐｅｒｓｏｎａｌ  Ｄｉｇｉｔａｌ  Ａｓｓｉｓｔａｎｔ）のうち一つであってもよい。また、前記電子装置は上述した装置のうち２つ以上の機能を結合した装置であってもよい。
【００１６】
本願発明で考慮する保安性及び便宜性の矛盾が発生する場合の例示は以下のようである。
【００１７】
保安機能が活性化された電子装置を使用するために、ユーザはハードキー（ｈａｒｄ  ｋｅｙ）を押すことで画面をつけ（ｏｎ）、ロックを解除する。音楽フェイル（例えば、ｍｐ３）を再生して移動中にしばらくしてから電子装置を使用しようとすると、直接ロックを解除したユーザであっても更にロックを解除しなければならない。
【００１８】
保安機能が活性化された電子装置を使用するために、ユーザはハードキーを押すことで画面をつけ、ロックを解除する。チャット（ｃｈａｔｉｎｇ）プログラムを介してメッセージを送信してから返信が来ると、ユーザは更にロックを解除しなければ返信を確認することができない。なお、再返信を送る場合、前記ユーザは更にロックを解除しなければならない。
【００１９】
保安機能が活性化された電子装置を使用するために、ユーザはハードキーを押すことで画面をつけ、ロックを解除する。インターネットに接続した後、電波陰影地域（例えば、エレベータ）に進入すると接続が切れる。その後、電波陰影地域から逸脱してからインターネットページを閲覧しようとすると、前記ユーザは更にロックを解除しなければならない。
【００２０】
ユーザがしばらくしてから使用する目的でメモアプリケーションを介してメモを作成する。その後、前記メモを開くたびに前記ユーザは毎回ロックを解除しなければならない。
【００２１】
ユーザが講義中に電子装置を利用して筆記をする。講義途中に更に筆記をしようとするたびに、前記ユーザは毎回ロックを解除しなければならない。
【００２２】
よって、本発明は上述したような保安性及び便宜性の矛盾を解除するための保安性管理方式を提案する。
【００２３】
本発明の実施例による電子装置は、画面を保安領域及び非保安領域に区分する。前記保安領域は画面の一部を占有し、前記非保安領域は前記保安領域と排他的な部分を占有する。即ち、前記保安領域及び前記非保安領域は重ならずに区分される。
【００２４】
図１は、本発明の実施例による電子装置で保安領域及び非保安領域の区分例を示す図である。前記図１を参照すると、（ａ）のように前記保安領域及び非保安領域は対角線に分割される。または、（ｂ）のように前記保安領域及び非保安領域の境界線は曲線であってもよい。または、（ｃ）のように前記保安領域及び非保安領域は上下区分に分割されてもよい。または、（ｄ）のように前記保安領域が特定図形の内部に割り当てられ、前記非保安領域が前記図形の外部に割り当てられてもよい。以下、説明の便宜上、本発明は前記（ａ）のような領域分割を前提に説明する。
【００２５】
上述したような保安領域及び非保安領域の分割形態は、予め定義された設定に応じて又はユーザのタッチスクリーン使用パターン分析に応じて決定される。例えば、前記領域は電子装置で予め定義された一つの形態にのみ分割されてもよい。他の例として、電子装置は設定メニュを介して既に定義された多数の分割形態を提示し、ユーザの選択に応じて適用する分割形態を決定してもよい。前記タッチスクリーン使用パターン分析に基づく場合、前記電子装置は前記ユーザが主に使用するスクリーン領域を前記非保安領域に割り当てることができる。前記主に使用するスクリーン領域は、タッチ入力分布及び回数の統計に基づいて識別される。
【００２６】
前記保安領域及び前記非保安領域が区分されるロック画面（ｉｎｔｅｒｆａｃｅ）は、画面が消された状態でハードキーを押すことで画面が消される際に表示される。前記保安領域及び前記非保安領域が区分されるロック画面の例は下記図２のようである。図２は、本発明の実施例による電子装置で保安領域及び非保安領域に分割されたロック画面の例を示す図である。前記図２を参照すると、保安領域２１０内に実行にロック解除を要求するアプリケーションのアイコン（ｉｃｏｎ）が表示され、非保安領域２２０内に実行にロック解除を要求しないアプリケーションのアイコンが表示される。以下、説明の便宜上、本発明は前記「実行にロック解除を要求するアプリケーション」を「保安アプリケーション」と、前記「実行にロック解除を要求しないアプリケーション」を「非保安アプリケーション」と、前記「実行にロック解除を要求するアプリケーションのアイコン」を「保安アイコン」と、前記「実行にロック解除を要求しないアプリケーションのアイコン」を「非保安アイコン」と称する。
【００２７】
保安機能が非活性化された場合、前記ハードキーを押すことで画面がつけられる際、前記保安領域及び前記非保安領域が区分されるロック画面ではなくメインメニュが表示される。また、保安機能が活性化されても、ユーザの設定に応じて本発明の実施例による前記図２のようなロック画面又は従来技術によるロック画面が選択的に表示される。従来技術によるロック画面を表示するモード（ｍｏｄｅ）と区分するために、本発明の実施例によるモードは「スマートアクセスロックモード」と称する。
【００２８】
前記図２のようなロック画面は、保安アイコン及び非保安アイコンの分類が行われた後で表現される。前記保安アイコン及び非保安アイコンの分類はユーザの設定に応じて行われる。即ち、電子装置は各アプリケーションに対して保安／非保安を設定するインタフェース（ｉｎｔｅｒｆａｃｅ）を提供し、ユーザは前記インタフェースを利用してアプリケーション別に保安／非保安を設定する。例えば、ユーザはアプリケーション別に保安／非保安可否を選択するか、一定条件式に応じて各アプリケーションを分類する。例えば、前記条件式は使用頻度、ユーザコンテンツ（ｃｏｎｔｅｎｔｓ）（例えば、写真）の活用可否のうち少なくとも一つを入力として取る。
【００２９】
上述したように保安領域及び非保安領域が分割される場合、アプリケーションの実行過程は以下のようである。
【００３０】
図３は、本発明の実施例による電子装置で非保安領域に位置するアプリケーションの実行過程を示す図である。前記図３は、カメラアプリケーションが非保安アプリケーションとして分類された状況を仮定する。前記図３を参照すると、電子装置は画面を保安領域３１０及び非保安領域３２０に分割しており、前記非保安領域３２０はカメラアプリケーションアイコン３３０を含む。ユーザは、（ａ）のように前記カメラアプリケーションアイコン３３０をタッチ（＝プレスアンドリリーズ（ｐｒｅｓｓ  ａｎｄ  ｒｅｌｅａｓｅ））する。それによって、別途の手順なしに前記電子装置は（ｂ）のようにカメラアプリケーションを実行する。
【００３１】
図４は、本発明の実施例による電子装置で保安領域に位置するアプリケーションの実行過程を示す図である。前記図４は、ＳＭＳ（Ｓｈｏｒｔ  Ｍｅｓｓａｇｅ  Ｓｅｒｖｉｃｅ）アプリケーションが保安アプリケーションとして分類された状況を仮定する。前記図４を参照すると、電子装置は画面を保安領域４１０及び非保安領域４２０に分割しており、前記保安領域４１０はＳＭＳアプリケーションアイコン４３１を含む。ユーザは、（ａ）のように前記ＳＭＳアプリケーションアイコン４３１をタッチ（＝プレスアンドリリーズ）する。それによって、前記電子装置は（ｂ）のようにロック解除を要求する画面を表示する。前記図４の場合、ロック解除は「パターン入力」方式による。その後、前記ユーザがロックを解除すると前記電子装置は（ｃ）のようにＳＭＳアプリケーションを実行する。即ち、前記保安領域に位置するアイコンを介してアプリケーションを実行しようとする場合、図４に示したようにロックを解除する過程が要求される。
【００３２】
上述したように、アプリケーションのアイコンは予め設定された保安／非保安に応じて前記保安領域又は前記非保安領域に含まれる。よって、一定時間の間のみ一時的に特定の保安アプリケーションを非保安アプリケーションに転換しようとする場合、保安設定メニュを介して使用前後に２回の保安／非保安の変更が要求される。このような不便を解消するために、本発明の実施例による電子装置は臨時的な領域移動をサポートする。前記臨時的な領域移動は以下のようである。
【００３３】
図５は、本発明の実施例による電子装置で保安領域に位置するアプリケーションを非保安領域に移動させる過程を示す図である。前記図５を参照すると、ユーザは（ａ）のように保安領域５１０に位置する保安アイコンのうち一つを非保安領域５２０にドラッグアンドドロップ（ｄｒａｇ  ａｎｄ  ｄｒｏｐ）することで移動させる。それによって、前記電子装置は（ｂ）のようにロック解除を要求する画面を表示する。前記図５の場合、ロック解除は「パターン入力」方式による。その後、前記ユーザがロックを解除すると、前記電子装置は（ｃ）のように前記ユーザが移動させたアイコンを前記非保安領域５２０内に含ませる。そして、前記電子装置は前記アイコンが前記非保安領域５２０に位置する間、前記アイコンに対応するアプリケーションを非保安アプリケーションとして管理する。即ち、前記保安領域５１０に位置するアイコンを前記非保安領域５２０に移動させようとする場合、図４に示したようにロックを解除する過程が要求される。
【００３４】
図６は、本発明の実施例による電子装置で非保安領域に位置するアプリケーションを保安領域に移動させる過程を示す図である。前記図６を参照すると、ユーザは（ａ）のように非保安領域６２０に位置する保安アイコンのうち一つを保安領域６１０にドラッグアンドドロップすることで移動させる。それによって、前記電子装置は（ｂ）のように前記ユーザが移動させたアイコンを前記保安領域６１０内に含ませる。そして、前記電子装置は前記アイコンが前記保安領域６１０に位置する間、前記アイコンに対応するアプリケーションを保安アプリケーションとして管理する。即ち、前記非保安領域６２０に位置するアイコンを前記保安領域６１０に移動させようとする場合、図４とは異なってロックを解除する過程が要求されない。前記図６のような過程は、最初は前記保安領域６１０に位置したがユーザの命令によって前記非保安領域６２０に移動されたアイコンを更に前記保安領域６１０に移動させる場合にも同じく適用される。
【００３５】
前記図５及び前記図６に示したように、アイコンの臨時的な領域移動が可能である。前記図５及び前記図６に示したアイコンは臨時的なものであるため、移動後の状態が固定されるのではない。よって、ユーザによって臨時的に移動されたアイコンは以下のように管理される。本発明の実施例によって、前記電子装置は移動されたアイコンに対応するアプリケーションが１回実行されてから終了されると、前記アイコンを元の割り当てられた領域に戻す。または、本発明の他の実施例によって、前記電子装置はアイコンが移動してから予め決められた時間が経過すると、前記アイコンを元の割り当てられた領域に戻す。または、本発明のまた他の実施例によって、前記電子装置は装置の状態又は実行中のアプリケーションの分析結果によって前記アイコンに対応するアプリケーションの保安／非保安可否を判断し、判断結果に応じて前記アイコンを再配置する。
【００３６】
臨時的領域移動後のアイコン管理の必要性は、アイコンが保安領域から非保安領域に移動された場合により大きい。元々非保安領域に位置していたアイコンを保安領域に移動した場合には保安が脆弱になる問題が発生しないためである。よって、上述した臨時的領域移動後のアイコン管理は、アイコンが保安領域から非保安領域に移動された場合にのみ適用される。但し、本発明の他の実施例によって、上述した臨時的領域移動後のアイコン管理は臨時的領域移動の方向とは関係なく適用されてもよい。
【００３７】
最近、多様なアプリケーションが開発されるにつれ、多数の機能が統合されたアプリケーションが存在する可能性がある。例えば、チャットアプリケーションがその下位アプリケーションとして写真の閲覧及び送信アプリケーションを含む場合が存在する。この場合、保安性を上位アプリケーションを基準に管理するか又は下位アプリケーションを基準に管理するかが問題となる。
【００３８】
上位アプリケーション及び下位アプリケーションの保安レベルが相異なる場合、本発明の多様な実施例は以下のように保安性を管理する。上位アプリケーションが非保安領域を介してロック解除を省略して実行された後、保安領域に属する下位アプリケーションが実行される際、前記電子装置はロック解除を要求する。一方、上位アプリケーションが保安領域を介してロック解除が実行された場合、ユーザは既に使用権限を認められたため、前記電子装置はロック解除なしに保安領域に属する下位アプリケーションを実行する。なお、下位アプリケーションが非保安領域に属する場合、前記電子装置はロック解除可否とは関係なく下位アプリケーションを実行する。
【００３９】
本発明の他の実施例によって、下位アプリケーションの保安レベルは上位アプリケーションの保安レベルに応じる。即ち、上位アプリケーションが非保安領域に属すると、下位アプリケーションの保安レベルとは関係なくロック解除なしに実行されてもよい。
【００４０】
本発明の実施例によるスマートアクセスロックモードが実行される場合、画面が消された状態でハードキーを押すと前記保安領域及び前記非保安領域が区分されるロック画面が表示される。よって、メインメニュに進入するための追加的な実施例が必要となる。
【００４１】
図７は、本発明の実施例による電子装置でメインメニュに進入する過程を示す図である。前記図７を参照すると、前記電子装置は画面を保安領域７１０及び非保安領域７２０に分割している。この際、ユーザが（ａ）のように前記保安領域７１０でアイコンが存在しない空き領域をタッチし、前記電子装置は前記タッチ入力をメインメニュへの進入命令として認知する。それによって、前記電子装置は（ｂ）のようにロック解除を要求する画面を表示する。前記図７の場合、ロック解除は「パターン入力」方式による。次に、前記ユーザがロックを解除すると前記電子装置は（ｃ）のようにメインメニュを表示する。
【００４２】
図８は、本発明の他の実施例による電子装置でメインメニュに進入する過程を示す図である。前記図８を参照すると、前記電子装置は（ａ）のように画面を保安領域８１０及び非保安領域８２０に分割しており、前記保安領域８１０内にメインメニュアイコン８３１を表示する。この際、ユーザが（ｂ）のように前記保安領域８１０内の前記メインメニュアイコン８３１をタッチし、前記電子装置は前記タッチ入力をメインメニュへの進入命令として認知する。それによって、前記電子装置は（ｃ）のようにロック解除を要求する画面を表示する。前記図８の場合、ロック解除は「パターン入力」方式による。次に、前記ユーザがロックを解除すると前記電子装置は（ｄ）のようにメインメニュを表示する。
【００４３】
以下、本発明は、上述したように保安性を管理する電子装置の動作及び構成を図面を参照して詳細に説明する。
【００４４】
図９は、本発明の実施例による電子装置で保安モードの設定手順を示す図である。
【００４５】
前記図９を参照すると、電子装置ステップ９０１でスマートアクセスロックモードであるのかを判断する。即ち、前記電子装置は本発明の実施例によるスマートアクセスロックモードをサポートし、同時に従来方式による保安性管理体系もサポートする。
【００４６】
前記スマートアクセスロックモードであれば、前記電子装置はステップ９０３に進行して保安領域及び非保安領域に配置するアイコンを分類する。前記保安領域及び非保安領域に対する分類は設定により、前記設定はユーザの選択によって又は一定条件式によって決定される。
【００４７】
そして、前記電子装置はステップ９０５に進行してロック解除方式を選択する。即ち、前記電子装置は多数のロック解除方式をサポートする。例えば、前記ロック解除方式はドラッグ、モーション、顔認識、音声認識、パターン、ＰＩＮ，パスワードなどであってもよい。この場合、前記電子装置はユーザの選択に応じてロック解除方式をサポートする。但し、前記電子装置が一つのロック解除方式のみをサポートする場合、前記ステップ９０５は省略される。
【００４８】
前記ステップ９０１において、前記スマートアクセスロックモードでなければ前記電子装置はステップ９０７に進行して保安機能が活性化されているのかを判断する。即ち、前記電子装置は従来方式による保安性管理体系に従うことを確認し、保安機能の活性化可否を確認する。
【００４９】
もし、前記保安機能が活性化されていなければ、前記電子装置はステップ９０９に進行して非保安モードに動作する。即ち、前記電子装置はロック解除なしに全てのアプリケーションを実行することを許容する。言い換えると、前記電子装置はロック画面なしに動作する。一方、前記保安機能が活性化されていれば前記電子装置はステップ９０５に進行してロック解除方式を選択し、全てのアプリケーションを実行する際にロック解除を要求する。
【００５０】
前記図９を参照して説明した本発明の実施例は、ソフトウェアモジュール内の命令語、電子装置に貯蔵されたコンピュータプログラムの形態で提供される。
【００５１】
図１０は、本発明の実施例による電子装置におけるスマートアクセスロックモードでロック画面を表示する手順を示す図である。
【００５２】
前記図１０を参照すると、前記電子装置はステップ１００１で第１領域に第１レベルの保安レベルを有するアプリケーションのアイコンを表示する。ここで、前記第１レベルは実行にロック解除を必要とする保安レベルを意味する。前記第１領域は上述した保安領域を意味し、画面の一部を占有する。
【００５３】
次に、前記電子装置はステップ１００３に進行して第２領域に第２レベルの保安レベルを有するアプリケーションのアイコンを表示する。前記第２レベルは実行にロック解除を必要としない保安レベルを意味する。前記第２領域は上述した非保安領域を意味し、第１領域と排他的な部分を占有する。
【００５４】
前記図１０を参照して説明した本発明の実施例は、ソフトウェアモジュール内の命令語、電子装置に貯蔵されたコンピュータプログラムの形態で提供される。
【００５５】
図１１は、本発明の実施例による電子装置におけるスマートアクセスロックモードで非保安アプリケーションの実行手順を示す図である。
【００５６】
前記図１１を参照すると、前記電子装置はステップ１１０１で非保安アプリケーションの実行命令が発生するのかを判断する。即ち、前記電子装置は保安領域及び非保安領域に分割されたロック画面を表示した状態で前記非保安領域に含まれたアイコンに対応するアプリケーションの実行命令が発生するのかを判断する。前記実行命令は該当アイコンをプレスアンドリリーズすることを含む。例えば、前記保安領域及び非保安領域に分割されたロック画面は前記図２のようである。
【００５７】
前記非保安アプリケーションの実行命令が発生すると、前記電子装置はステップ１１０３に進行してロック解除を省略し該当アプリケーションを実行する。言い換えると、前記電子装置はプレスアンドリリーズされたアイコンに対応するアプリケーションを実行し、この際、ロック解除を要求しない。
【００５８】
次に、前記電子装置はステップ１１０５に進行してアプリケーション終了命令が発生するのかを判断する。例えば、前記終了命令は戻るボタン又はホームボタンを押すことを含む。
【００５９】
前記終了命令が発生すると、前記電子装置はステップ１１０７に進行して保安領域及び非保安領域が分割された画面を表示する。即ち、前記電子装置は前記ステップ１１０１で非保安アプリケーションの実行命令が発生する直前の状態に戻る。但し、本発明の他の実施例によって前記電子装置はロック解除を要求する画面を表示する可能性がある。この際、ロックを解除すると前記電子装置はメインメニュを表示する。
【００６０】
前記図１１を参照して説明した本発明の実施例は、ソフトウェアモジュール内の命令語、電子装置に貯蔵されたコンピュータプログラムの形態で提供される。
【００６１】
図１２は、本発明の実施例による電子装置におけるスマートアクセスロックモードで保安アプリケーションの実行手順を示す図である。
【００６２】
前記図１２を参照すると、前記電子装置はステップ１２０１で保安アプリケーションの実行命令が発生するのかを判断する。即ち、前記電子装置は保安領域及び非保安領域に分割された画面を表示した状態で前記保安領域に含まれたアイコンに対応するアプリケーションの実行命令が発生するのかを判断する。前記実行命令は該当アイコンをプレスアンドリリーズすることを含む。例えば、前記保安領域及び非保安領域に分割されたロック画面は前記図２のようである。
【００６３】
前記保安アプリケーションの実行命令が発生すると前記電子装置はステップ１２０３に進行し、ロック解除を要求する画面を表示する。言い換えると、前記電子装置はプレスアンドリリーズされたアイコンに対応するアプリケーションを実行する前にロック解除を要求する。例えば、前記ロック解除を要求する画面は前記図４の（ｂ）のようである。
【００６４】
次に、前記電子装置はステップ１２０５に進行してロックが解除されるのかを判断する。例えば、ＰＩＮ入力又はパスワード入力の場合、前記電子装置は正しいＰＩＮ又はパスワードが入力されるのかを判断する。又はパターン入力の場合、前記電子装置は予め設定されたパターンと同じパターンが入力されるのかを判断する。前記ロック解除の判断の具体的な過程はロック解除方式に応じて異なる。
【００６５】
前記ロックが解除されると、前記電子装置はステップ１２０７に進行して該当アプリケーションを実行する。言い換えると、前記電子装置はプレスアンドリリーズされたアイコンに対応するアプリケーションを実行する。
【００６６】
次に、前記電子装置はステップ１２０９に進行してアプリケーション終了命令が発生するのかを判断する。例えば、前記終了命令は戻るボタン又はホームボタンを押すことを含む。
【００６７】
前記終了命令が発生すると、前記電子装置はステップ１２１１に進行してメインメニュを表示する。前記ステップ１２０５でロック解除を確認することで使用権限を有することが確認されたため、前記電子装置はメインメニュを表示する。但し、本発明の他の実施例によって前記電子装置は保安領域及び非保安領域が分割されたロック画面を表示する。言い換えると、前記電子装置は前記ステップ１２０１で保安アプリケーションの実行命令が発生する直前の状態に戻る。
【００６８】
前記図１２を参照して説明した本発明の実施例は、ソフトウェアモジュール内の命令語、電子装置に貯蔵されたコンピュータプログラムの形態で提供される。
【００６９】
図１３は、本発明の実施例による電子装置におけるスマートアクセスロックモードで保安領域内のアイコンを非保安領域に移動する手順を示す図である。
【００７０】
前記図１３を参照すると、前記電子装置はステップ１３０１で保安領域に位置するアイコンを非保安領域に移動する命令が発生するのかを判断する。即ち、前記電子装置は保安領域及び非保安領域に分割されたロック画面を表示した状態で前記保安領域に含まれたアイコンの移動命令が発生するのかを判断する。前記アイコンの移動命令は、該当アイコンに対するドラッグアンドドロップを含む。例えば、前記保安領域及び非保安領域に分割されたロック画面は前記図２のようである。
【００７１】
前記保安領域に位置したアイコンを非保安領域に移動する命令が発生すると、前記電子装置はステップ１３０３に進行してロック解除を要求する画面を表示する。言い換えると、前記電子装置はプレスアンドリリーズされたアイコンに対応するアプリケーションを実行する前にロック解除を要求する。例えば、前記ロック解除を要求する画面は前記図５の（ｂ）のようである。
【００７２】
次に、前記電子装置はステップ１３０５に進行してロックが解除されるのかを判断する。例えば、ＰＩＮ入力又はパスワード入力の場合、前記電子装置は正しいＰＩＮ又はパスワードが入力されるのかを判断する。又はパターン入力の場合、前記電子装置は予め設定されたパターンと同じパターンが入力されるのかを判断する。前記ロック解除の判断の具体的な過程はロック解除方式に応じて異なる。
【００７３】
前記ロックが解除されないと、言い換えると、ユーザの入力があったが予め設定されたパスワード、パターンなどと一致しない場合、前記電子装置はステップ１３０７に進行して前記アイコンを前記保安領域に戻す。それによって、前記アイコンに対応するアプリケーションは保安アプリケーションとして管理され、実行命令の際にロック解除を要求する。
【００７４】
前記ロックが解除されると、言い換えると、ユーザの入力があったが予め設定されたパスワード、パターンなどと一致する場合、前記電子装置はステップ１３０９に進行して前記アイコンを前記非保安領域に臨時移動させる。それによって、前記アイコンに対応するアプリケーションは非保安アプリケーションとして管理され、実行命令の際にロック解除を要求しない。
【００７５】
前記図１３に図示していないが、前記ステップ１３０９で臨時移動されたアイコンはユーザの再移動命令がなくても一定条件に応じて前記保安領域に戻ることができる。例えば、移動されたアイコンに対応するアプリケーションが１回実行されてから終了される場合、アイコンが移動されてから予め決められた時間が経過した場合、前記電子装置の状態又は実行中のアプリケーションの分析結果に応じて前記アイコンに対応するアプリケーションを保安アプリケーションとして管理することが判断される場合、前記アイコンは前記保安領域に戻る。
【００７６】
前記図１３を参照して説明した本発明の実施例は、ソフトウェアモジュール内の命令語、電子装置に貯蔵されたコンピュータプログラムの形態で提供される。
【００７７】
図１４は、本発明の実施例による電子装置におけるスマートアクセスロックモードで非保安領域内のアイコンを保安領域に移動する手順を示す図である。
【００７８】
前記図１４を参照すると、前記電子装置はステップ１４０１で非保安領域に位置するアイコンを保安領域に移動する命令が発生するのかを判断する。即ち、前記電子装置は非保安領域及び非保安領域に分割されたロック画面を表示した状態で前記非保安領域に含まれたアイコンの移動命令が発生するのかを判断する。前記アイコンの移動命令は、該当アイコンに対するドラッグアンドドロップを含む。例えば、前記保安領域及び非保安領域に分割されたロック画面は前記図２のようである。
【００７９】
前記非保安領域に位置したアイコンを保安領域に移動する命令が発生すると、前記電子装置はステップ１４０３に進行して前記アイコンを前記保安領域に臨時移動させる。この際、前記電子装置はロック解除を要求しない。それによって、前記アイコンに対応するアプリケーションは保安アプリケーションとして管理され、実行命令の際にロック解除を要求する。
【００８０】
前記図１４に図示していないが、前記ステップ１４０３で臨時移動されたアイコンはユーザの再移動命令がなくても一定条件に応じて前記非保安領域に戻ることができる。例えば、移動されたアイコンに対応するアプリケーションが１回実行されてから終了される場合、アイコンが移動されてから予め決められた時間が経過した場合、前記電子装置の状態又は実行中のアプリケーションの分析結果に応じて前記アイコンに対応するアプリケーションを非保安アプリケーションとして管理することが判断される場合、前記アイコンは前記非保安領域に戻る。
【００８１】
前記図１４を参照して説明した本発明の実施例は、ソフトウェアモジュール内の命令語、電子装置に貯蔵されたコンピュータプログラムの形態で提供される。
【００８２】
図１５は、本発明の実施例による電子装置のブロック構成を示す図である。本発明は移動電話端末、スマートフォンなどの移動端末を含む前記電子装置に具現される。
【００８３】
前記図１５を参照すると、前記電子装置はメモリ１５１０、プロセッサユニット（ｐｒｏｃｅｓｓｏｒ  ｕｎｉｔ）１５２０、入出力（ＩＯ：Ｉｎｐｕｔ  Ｏｕｔｐｕｔ）システム１５３０を含む。前記メモリ１５１０は多数個で構成される。前記図５に示した前記電子装置の構成要素は、少なくとも一つの通信バス（参照番号なし）又はストリームライン（参照番号なし）によって結合される（ｃｏｕｐｌｅｄ）。
【００８４】
前記メモリ１５１０は前記メモリインタフェース１５２１に連結される。前記メモリ１５１０は少なくとも一つの磁気ディスク貯蔵装置のような高速ランダムアクセスメモリ、非揮発性メモリ、少なくとも一つの光貯蔵装置、フラッシュメモリ（例えば、ＮＡＮＤ，ＮＯＲ）のうち少なくとも一つを含む。前記メモリ１５１０は少なくとも一つのソフトウェアを貯蔵する。ソフトウェア構成要素は運営体制（ｏｐｅｒａｔｉｏｎ  ｓｙｓｔｅｍ）モジュール１５１１、グラフィックモジュール１５１２、ＵＩモジュール１５１３、保安管理モジュール１５１４などを含む。ここで、ソフトウェア構成要素であるモジュールは命令語の集合で表現され、前記モジュールは「命令語セット（ｉｎｓｔｒｕｃｔｉｏｎ  ｓｅｔ）」又は「プログラム」と称される。
【００８５】
前記運営体制モジュール１５１１は、一般的なシステム作動（ｓｙｓｔｅｍ  ｏｐｅｒａｔｉｏｎ）を制御する少なくとも一つのソフトウェア構成要素を含む。例えば、前記運営体制モジュール１５１１はＷＩＮＤＯＷＳ（登録商標），ＬＩＮＵＸ（登録商標），ダーウィン（Ｄａｒｗｉｎ）、ＲＴＸＣ，ＵＮＩＸ（登録商標），ＯＳ  Ｘ，ＶｘＷｒｏｋｓなどのような内蔵型運営体制であってもよい。例えば、前記一般的なシステム作動の制御はメモリ管理及び制御、貯蔵ハードウェア制御及び管理、電力制御及び管理などを含む。前記運営体制モジュール１５１１は、少なくとも一つのハードウェア及び少なくとも一つのソフトウェア構成要素間の通信を円滑にする機能を行う。前記グラフィックモジュール１５１２は、タッチスクリーン１５３３の上にグラフィックを提供し表示するための少なくとも一つのソフトウェア構成要素を含む。ここで、グラフィックとはテキスト（ｔｅｘｔ）、ウェブイメージ（ｗｅｂ  ｐａｇｅ）、アイコン（ｉｃｏｎ）、デジタルイメージ（ｄｅｇｉｔａｌ  ｉｍａｇｅ）、ビデオ（ｖｉｄｅｏ）、アニメーション（ａｎｉｍａｔｉｏｎ）などを含む意味である。前記ＵＩモジュール１５１３は、ＵＩに関する少なくとも一つのソフトウェア構成要素を含む。前記ＵＩに関する事項は、前記ＵＩの状態がどのように変更されるのか又はＵＩ状態の変更がどのような条件で行われるのかなどに対する内容を含む。 
【００８６】
前記保安管理モジュール１５１４は、アプリケーション別に保安性を管理するための少なくとも一つ以上のソフトウェア構成要素を含む。詳しくは、前記保安管理モジュール１５１４はアプリケーションを保安アプリケーション及び非保安アプリケーションに分類し、ロック解除方式を選択するソフトウェア構成要素を含む。また、前記保安管理モジュール１５１４は保安領域及び非保安領域に分割されたロック画面を構成し、保安領域又は非保安領域に属するアプリケーションを定義された手順に応じて実行し、保安領域及び非保安領域間にアプリケーションを移動させるためのソフトウェア構成要素を含む。例えば、前記保安管理モジュール１５１４は前記電子装置が前記図１乃至前記図８を参照して説明したように動作するか、前記図９乃至前記図１４の手順を行うための少なくとも一つのソフトウェア構成要素を含む。例えば、前記保安管理モジュール１５１４は画面の一部を占有する保安領域の実行にロック解除を必要とする保安レベルを有するアプリケーションのアイコンを表示し、前記保安領域と排他的な部分を占有する非保安領域の実行にロック解除を必要としない保安レベルを有するアプリケーションのアイコンを表示するように制御する少なくとも一つの命令語を含む。
【００８７】
前記メモリ１５１０は上述したモジュール１５１１乃至１５１４の他に追加的なモジュールを含む。または、本発明の他の実施例によって、上述したモジュール１５１１乃至１５１４のうち一部が排除されてもよい。
【００８８】
前記プロセッサユニット１５２０はメモリインタフェース１５２１、プロセッサ１５２２及び周辺装置インタフェース（ｐｅｒｉｐｈｅｒａｌ  ｉｎｔｅｒｆａｃｅ）１５２３を含む。前記プロセッサ１５２２は少なくとも一つのハードウェアチップ（ｃｈｉｐ）を含む。前記プロセッサユニット１５２０全体が「プロセッサ」と称されてもよい。前記メモリインタフェース１５２１、前記プロセッサ１５２２、前記周辺装置インタフェース１５２３それぞれは別途の構成要素であるか、又は少なくとも一つの集積化回路で構成される。
【００８９】
前記プロセッサ１５２２はソフトウェアプログラムを実行することで前記電子装置が前記ソフトウェアプログラムに対応する機能を行うようにし、音声通信及びデータ通信のための処理及び制御を行う。また、前記プロセッサ１５２２は前記メモリ１５１０に貯蔵されているソフトウェアモジュールを実行することで該当モジュールに対応する特定の機能を行う。即ち、前記プロセッサ１５２２は前記メモリ１５１０に貯蔵されたソフトウェアモジュールと連動し、本発明の実施例による方法を行う。前記プロセッサ１５２２は少なくとも一つのデータプロセッサ、イメージプロセッサを含む。前記データプロセッサ、前記イメージプロセッサは別途のハードウェアで構成されてもよい。また、前記プロセッサ１５２２は互いに異なる機能を行う多数のプロセッサで構成されてもよい。
【００９０】
前記周辺インタフェース１５２３は、前記電子装置の前記入出力システム１５３０及び少なくとも一つの周辺装置を前記プロセッサ１５２１及び前記メモリ１５１０に連結する。前記メモリ１５１０は前記メモリインタフェース１５２１を介して連結されてもよい。即ち、前記メモリインタフェース１５２１は前記メモリ１５１０に接近するためのインタフェースを提供する。
【００９１】
前記入出力システム１５３０はタッチスクリーン制御機１５３１、その他の入力制御機１５３２、タッチスクリーン１５３３、その他の入力／制御装置１５３４を含む。前記タッチスクリーン制御機１５３１は前記タッチスクリーン１５３３に結合される。前記タッチスクリーン１５３３及び前記タッチスクリーン制御機１５３１はそれに限らないが、前記タッチスクリーン１５３３上での少なくとも一つの接触点を決定するための容量性、抵抗性、赤外線及び表面音響波技術だけでなくその他の近接センサ配列又はその他の要素を含むマルチタッチ（ｍｕｌｔｉ−ｔｏｕｃｈ）感知技術を利用して接触、動き、前記接触又は動きの中断を検出する。その他の入力制御機１５３２は前記その他の入力／制御装置１５３４に結合される。前記その他の入力／制御装置１５３４には少なくとも一つのボリューム（ｖｏｌｕｍｅ）制御のためのアップ／ダウン（ｕｐ／ｄｏｗｎ）ボタンが含まれる。また、前記ボタンはプッシュボタン（ｐｕｓｈ  ｂｏｔｔｏｎ）又はロッカーボタン（ｒｏｃｋｅｒ  ｂｏｔｔｏｎ）、ロッカー（ｒｏｃｋｅｒ）スイッチ、サムホイール（ｔｈｕｍｂ−ｗｈｅｅｌ）、ダイヤル（ｄｉａｌ）、スティック（ｓｔｉｃｋ）、スタイラス（ｓｔｙｌｕｓ）のようなポインタ装置などの形態を有する。
【００９２】
前記タッチスクリーン１５３３は、前記電子装置とユーザとの間に入出力インタフェースを提供する。即ち、前記タッチスクリーン１５３３はユーザのタッチ入力を前記電子装置に伝達する。また、前記タッチスクリーン１５３３は前記電子装置からの出力をユーザに示す媒介である。よって、前記タッチスクリーン１５３３は表示部と称される。即ち、前記タッチスクリーン１５３３はユーザに視覚的な出力を示す。前記視覚的な出力（ｖｉｓｕａｌ  ｏｕｔｐｕｔ）はテキスト、グラフィック、ビデオ、それらの組み合わせの形で表現される。前記タッチスクリーン１５３３のために多様なディスプレイ手段が使用される。例えば、それに限らないが、前記タッチスクリーン１５３３はＬＣＤ（Ｌｉｑｕｉｄ  Ｃｒｙｓｔａｌ  Ｄｉｓｐｌａｙ）、ＬＥＤ（Ｌｉｇｈｔ  Ｅｍｉｔｔｉｎｇ  Ｄｉｏｄｅ）、ＬＰＤ（Ｌｉｇｈｔ  Ｅｍｉｔｔｉｎｇ  Ｐｏｌｙｍｅｒ  Ｄｉｓｐｌａｙ）、ＯＬＥＤ（Ｏｒｇａｎｉｃ  Ｌｉｇｈｔ  Ｅｍｉｔｔｉｎｇ  Ｄｉｏｄｅ）、ＡＭＯＬＥＤ（Ａｃｔｉｖｅ  Ｍａｔｒｉｘ  Ｏｒｇａｎｉｃ  Ｌｉｇｈｔ  Ｅｍｉｔｔｉｎｇ  Ｄｉｏｄｅ）、ＦＬＥＤ（Ｆｌｅｘｉｂｌｅ  ＬＥＤ）のうち少なくとも一つを含む。
【００９３】
本発明による前記電子装置の多様な機能は少なくとも一つのストリームプロセッシング（ｐｒｏｃｅｓｓｉｎｇ）、アプリケーション特定集積回路（ＡＳＩＣ：Ａｐｐｌｉｃａｔｉｏｎ  Ｓｐｅｃｉｆｉｃ  Ｉｎｔｅｇｒａｔｅｄ  Ｃｉｒｃｕｉｔ）を含むハードウェア、ソフトウェア、それらの結合で実行される。
【００９４】
図１６は、本発明の他の実施例による電子装置のブロック構成を示す図である。
【００９５】
前記図１６を参照すると、前記電子装置はメモリ１６１０、プロセッサユニット１６２０、入出力システム１６４０を含む。前記メモリ１６１０は多数個で構成される。前記図５に示した前記電子装置の構成要素は、少なくとも一つの通信バス（参照番号なし）又はストリームライン（参照番号なし）によって結合される。
【００９６】
前記メモリ１６１０は前記メモリインターフェース１６２１に連結される。前記メモリ１６１０は少なくとも一つの磁気ディスク貯蔵装置のような高速ランダムアクセスメモリ、非揮発性メモリ、少なくとも一つの光貯蔵装置、フラッシュメモリ（例えば、ＮＡＮＤ，ＮＯＲ）のうち少なくとも一つを含む。前記メモリ１６１０は少なくとも一つのソフトウェアを貯蔵する。ソフトウェア構成要素は運営体制モジュール１６１１、グラフィックモジュール１６１２、ＵＩモジュール１６１３を含む。ここで、ソフトウェア構成要素であるモジュールは命令語の集合で表現され、前記モジュールは「命令語セット」又は「プログラム」と称される。
【００９７】
前記運営体制モジュール１６１１は、一般的なシステム作動を制御する少なくとも一つのソフトウェア構成要素を含む。例えば、前記運営体制モジュール１６１１はＷＩＮＤＯＷＳ（登録商標），ＬＩＮＵＸ（登録商標），ダーウィン、ＲＴＸＣ，ＵＮＩＸ（登録商標），ＯＳ  Ｘ，ＶｘＷｒｏｋｓなどのような内蔵型運営体制であってもよい。例えば、前記一般的なシステム作動の制御はメモリ管理及び制御、貯蔵ハードウェア制御及び管理、電力制御及び管理などを含む。前記運営体制モジュール１６１１は、少なくとも一つのハードウェア及び少なくとも一つのソフトウェア構成要素間の通信を円滑にする機能を行う。前記グラフィックモジュール１６１２は、前記タッチスクリーン１６４３の上にグラフィックを提供し表示するための少なくとも一つのソフトウェア構成要素を含む。ここで、グラフィックとはテキスト、ウェブイメージ、アイコン、デジタルイメージ、ビデオ、アニメーションなどを含む意味である。前記ＵＩモジュール１６１３は、ＵＩに関する少なくとも一つのソフトウェア構成要素を含む。前記ＵＩに関する事項は、前記ＵＩの状態がどのように変更されるのか又はＵＩ状態の変更がどのような条件で行われるのかなどに対する内容を含む。 
【００９８】
前記メモリ１６１０は上述したモジュール１６１１乃至１６１３の他に追加的なモジュールを含む。または、本発明の他の実施例によって、上述したモジュール１６１１乃至１６１３のうち一部が排除されてもよい。
【００９９】
前記プロセッサユニット１６２０はメモリインターフェース６１２１、プロセッサ１６２２及び周辺装置インタフェース６１２３、保安管理プロセッサ１６２４を含む。前記プロセッサ１６２２は少なくとも一つのハードウェアチップを含む。前記プロセッサユニット６１２０全体が「プロセッサ」と称されてもよい。前記メモリインターフェース１６２１、前記プロセッサ１６２２、前記周辺装置インターフェース１６２３それぞれは別途の構成要素であるか、又は少なくとも一つの集積化回路で構成されてもよい。
【０１００】
前記プロセッサ１６２２はソフトウェアプログラムを実行することで前記電子装置が前記ソフトウェアプログラムに対応する機能を行うようにし、音声通信及びデータ通信のための処理及び制御を行う。また、前記プロセッサ１６２２は前記メモリ１６１０に貯蔵されているソフトウェアモジュールを実行することで該当モジュールに対応する特定の機能を行う。即ち、前記プロセッサ１６２２は前記メモリ１６１０に貯蔵されたソフトウェアモジュールと連動し、本発明の実施例による方法を行う。前記プロセッサ１６２２は少なくとも一つのデータプロセッサ、イメージプロセッサを含む。前記データプロセッサ、前記イメージプロセッサは別途のハードウェアで構成されてもよい。また、前記プロセッサ１６２２は互いに異なる機能を行う多数のプロセッサで構成されてもよい。
【０１０１】
前記周辺装置インタフェース１６２３は、前記電子装置の前記入出力システム１６４０及び少なくとも一つの周辺装置を前記プロセッサ１６２１及び前記メモリ１６１０に連結する。前記メモリ１６１０は前記メモリインターフェース１６２１を介して連結されてもよい。即ち、前記メモリインタフェース１６２１は前記メモリ１６１０に接近するためのインタフェースを提供する。
【０１０２】
前記保安管理プロセッサ１６２４は、アプリケーション別に保安性を管理するための機能を行う。詳しくは、前記保安管理プロセッサ１６２４はアプリケーションを保安アプリケーション及び非保安アプリケーションに分類し、ロック解除方式を選択する。また、前記保安管理プロセッサ１６２４は保安領域及び非保安領域に分割されたロック画面を構成し、保安領域又は非保安領域に属するアプリケーションを定義された手順に応じて実行し、保安領域及び非保安領域間にアプリケーションを移動させるためのソフトウェア機能を行う。例えば、前記保安管理プロセッサ１６２４は前記電子装置が前記図１乃至前記図８を参照して説明したように動作するか、前記図９乃至前記図１４の手順を行うように制御する。前記保安管理プロセッサ１６２４は前記プロセッサ１６２２と結合されるか又は前記プロセッサ１６２２の一部として構成されてもよい。例えば、前記保安管理プロセッサ１６２４は画面の一部を占有する保安領域の実行にロック解除を必要とする保安レベルを有するアプリケーションのアイコンを表示し、前記保安領域と排他的な部分を占有する非保安領域の実行にロック解除を必要としない保安レベルを有するアプリケーションのアイコンを表示するように制御する。
【０１０３】
前記入出力システム１６４０はタッチスクリーン制御機１６４１、その他の入力制御機１６４２、タッチスクリーン１６４３、その他の入力／制御装置１６４４を含む。前記タッチスクリーン制御機１６４１は前記タッチスクリーン１６４３に結合される。前記タッチスクリーン１６４３及び前記タッチスクリーン制御機１６４１はそれに限らないが、前記タッチスクリーン１６４３上での少なくとも一つの接触点を決定するための容量性、抵抗性、赤外線及び表面音響波技術だけでなくその他の近接センサ配列又はその他の要素を含むマルチタッチ感知技術を利用して接触、動き、前記接触又は動きの中断を検出することができる。前記その他の入力制御機１６４２は前記その他の入力／制御装置１６４４に結合される。前記その他の入力／制御装置１６４４に少なくとも一つのボリューム制御のためのアップ／ダウンボタンが含まれてもよい。また、前記ボタンはプッシュボタン又はロッカーボタン、ロッカースイッチ、サムホイル、ダイヤル、スティック、スタイラスのようなポインタ装置などの形であってもよい。
【０１０４】
前記タッチスクリーン１６４３は、前記電子装置とユーザとの間に入出力インタフェースを提供する。即ち、前記タッチスクリーン１６４３はユーザのタッチ入力を前記電子装置に伝達する。また、前記タッチスクリーン１６４３は前記電子装置からの出力をユーザに示す媒介である。よって、前記タッチスクリーン１６４３は表示部と称されてもよい。即ち、前記タッチスクリーン１６４３はユーザに視覚的な出力を示す。前記視覚的な出力はテキスト、グラフィック、ビデオ、それらの組み合わせの形で表現される。前記タッチスクリーン１６４３のために多様なディスプレイ手段が使用される。例えば、これに限らないが、前記タッチスクリーン１６４３はＬＣＤ，ＬＥＤ，ＬＰＤ，ＯＬＥＤ，ＡＭＯＬＥＤ，ＦＬＥＤのうち少なくとも一つを含んでもよい。
【０１０５】
本発明による前記電子装置の多様な機能は少なくとも一つのストリームプロセッシング、アプリケーション特定集積回路を含むハードウェア、ソフトウェア、それらの組み合わせで実行される。
【０１０６】
本発明の請求項及び／又は明細書に記載された実施例による方法はハードウェア、ソフトウェア、又はハードウェアとソフトウェアを組み合わせた形態で具現される（ｉｍｐｌｅｍｅｎｔｅｄ）。
【０１０７】
ソフトウェアとして具現する場合、一つ以上のプログラム（ソフトウェアモジュール）を貯蔵するコンピュータで判読可能な貯蔵媒体が提供される。コンピュータで判読可能な貯蔵媒体に貯蔵される一つ以上のプログラムは、電子装置（ｄｅｉｖｅｃｅ）内の一つ以上のプロセッサによって実行可能に構成される（ｃｏｎｆｉｇｕｒｅｄ  ｆｏｒ  ｅｘｅｃｕｔｉｏｎ）。一つ以上のプログラムは、電子装置が本発明の請求項及び／又は明細書に記載された実施例による方法を実行するようにする命令語（ｉｎｓｔｒｕｃｔｉｏｎｓ）を含ませる。
【０１０８】
このようなプログラム（ソフトウェアモジュール、ソフトウェア）はランダムアクセスメモリ（ｒａｎｄｏｍ  ａｃｃｅｓｓ  ｍｅｍｏｒｙ）、フラッシュ（ｆｌａｓｈ）メモリを含む不揮発性（ｎｏｎ−ｖｏｌａｔｉｌｅ）メモリ、ロム（ＲＯＭ，Ｒｅａｄ  Ｏｎｌｙ  Ｍｅｍｏｒｙ）、電気的消去可能プログラムロム（ＥＥＲＯＭ，Ｅｌｅｃｔｒｉｃａｌｌｙ  Ｅｒａｓａｂｌｅ  Ｐｒｏｇｒａｍｍａｂｌｅ  Ｒｅａｄ  Ｏｎｌｙ  Ｍｅｍｏｒｙ）、磁気ディスク貯蔵装置（ｍａｇｎｅｔｉｃ  ｄｉｓｃ  ｓｔｏｒａｇｅ  ｄｅｖｉｃｅ）、コンパクトディスクロム（ＣＤ−ＲＯＭ，Ｃｏｍｐａｃｔ  Ｄｉｓｃ−ＲＯＭ）、デジタル多目的ディスク（ＤＶＤｓ，Ｄｉｇｉｔａｌ  Ｖｅｒｓａｔｉｌｅ  Ｄｉｓｃｓ）又は他の形の光学貯蔵装置、マグネチックカセット（ｍａｇｎｅｔｉｃ  ｃａｓｓｅｔｔｅ）に貯蔵される。または、それらの一部或いは全部の組み合わせで構成されたメモリに貯蔵されてもよい。また、それぞれの構成メモリは多数個含まれてもよい。
【０１０９】
また、前記プログラムはインターネット（Ｉｎｔｅｒｎｅｔ）、イントラネット（Ｉｎｔｒａｎｅｔ）、ＬＡＮ（Ｌｏｃａｌ  Ａｒｅａ  Ｎｅｔｗｏｒｋ）、ＷＬＡＮ（Ｗｉｄｅ  ＬＡＮ）又はＳＡＮ（Ｓｔｏｒａｇｅ  Ａｒｅａ  Ｎｅｔｗｏｒｋ）のような通信ネットワーク又はそれらの組み合わせで構成された通信ネットワークを介して接近（ａｃｃｅｓｓ）することができる付着可能な（ａｔｔａｃｈａｂｌｅ）貯蔵装置（ｓｔｏｒａｇｅ  ｄｅｖｉｃｅ）に貯蔵されてもよい。このような貯蔵装置は、外部ポートを介して本発明の実施例を行う装置に接続する。また、通信ネットワーク上の別途の貯蔵装置が本発明の実施例を行う装置に接続してもよい。
【０１１０】
スマートフォンのような電子装置で保安領域及び非保安領域で互いに異なる保安レベルを適用し、ユーザに保安領域及び非保安領域を設定するようにすることで、ユーザの使用パターンに適合した保安性管理機能を提供することができる。なお、アプリケーションの保安レベルを臨時的に変更することを許容することで、ユーザは状況に応じて流動的に保安性を制御することができる。
【符号の説明】
【０１１１】
２１０  保安領域
２２０  非保安領域
３１０  保安領域
３２０  非保安領域
３３０  カメラアプリケーションアイコン
４１０  保安領域
４２０  非保安領域
４３１  ＳＭＳアプリケーションアイコン
５１０  保安領域
５２０  非保安領域
６１０  保安領域
６２０  非保安領域
７１０  保安領域
７２０  非保安領域
８１０  保安領域
８２０  非保安領域
８３１  メインメニュアイコン
１５１０  メモリ
１５１１  運営管理モジュール
１５１２  グラフィックモジュール
１５１３  ＵＩモジュール
１５１４  保安管理モジュール
１５２０  プロセッサユニット
１５２１  メモリインタフェース
１５２２  プロセッサ
１５２３  周辺装置インタフェース
１５３０  入出力システム
１５３１  タッチスクリーン制御機
１５３２  タッチスクリーン
１５３３  その他の入力制御機
１５３４  その他の入力制御装置
１６１０  メモリ
１６１１  運営管理モジュール
１６１２  グラフィックモジュール
１６１３  ＵＩモジュール
１６２０  プロセッサユニット
１６２１  メモリインタフェース
１６２２  プロセッサ
１６２３  周辺装置インタフェース
１６２４  保安管理プロセッサ
１６４０  入出力システム
１６４１  タッチスクリーン制御機
１６４２  その他の入力制御機
１６４３  タッチスクリーン
１６４４  その他の入力制御装置
【図９】
2014123352.tif 000003
【図１０】
2014123352.tif 000004
【図１１】
2014123352.tif 000005
【図１２】
2014123352.tif 000006
【図１３】
2014123352.tif 000007
【図１４】
2014123352.tif 000008
【図１５】
2014123352.tif 000009
【図１６】
2014123352.tif 000010
【図１】
2014123352.tif 000011
【図２】
2014123352.tif 000012
【図３】
2014123352.tif 000013
【図４】
2014123352.tif 000014
【図５】
2014123352.tif 000015
【図６】
2014123352.tif 000016
【図７】
2014123352.tif 000017
【図８】
2014123352.tif 000018